(57)【要約】【課題】  かしめ爪に起因する異物となる微細な粒子、導電性粒子の発生を抑えて、表示装置の表示品質の劣化、電気的特性の劣化を抑えること。【解決手段】  ＬＣＤのかしめ構造は、ＬＣＤの部品を収容する容器３６と、容器３６の外側底面に固定される回路基板１と、回路基板１の縁部を容器３６の外側底面にあるかしめ爪２で押圧することによって、容器３６の外側底面に回路基板１を固定するものであって、かしめ爪２は、容器３６の外側底面から突出している本体部２ａと、本体部２ａから側方に延出している延出部２ｂと、延出部２ｂから容器３６の外側底面側に延出している押圧部２ｃと、を有するとともに、延出部２ｂが容器３６の外側底面に沿って折り曲げられるように構成されており、押圧部２ｃは、被固定部材の縁部に接する部位が、被固定部材の縁部の側に凸の曲面状とされている。【選択図】  図１
2017156417.tif 000002
【特許請求の範囲】
【請求項１】
表示装置の部品を収容する容器と、
前記容器に固定される被固定部材と、
前記被固定部材の縁部を前記容器にあるかしめ爪で押圧することによって、前記容器に前記被固定部材を固定する表示装置のかしめ構造であって、
前記かしめ爪は、前記容器から突出している本体部と、前記本体部から側方に延出している延出部と、前記延出部から前記容器の側に延出している押圧部と、を有するとともに、前記延出部が前記容器の面に沿って折り曲げられるように構成されており、
前記押圧部は、前記被固定部材の縁部に接する部位が、前記被固定部材の縁部の側に凸の曲面状とされている表示装置のかしめ構造。
【請求項２】
前記かしめ爪は、前記部位が突起部である請求項１に記載の表示装置のかしめ構造。
【請求項３】
前記かしめ爪は、前記部位が前記押圧部の曲げ部である請求項１に記載の表示装置のかしめ構造。
【請求項４】
前記かしめ爪は、前記押圧部が前記延出部の折り曲げ方向と反対側に伸びているとともに、前記容器の側に傾斜している請求項１乃至請求項３のいずれか１項に記載の表示装置のかしめ構造。
【請求項５】
前記被固定部材は、前記縁部の前記かしめ爪で押圧される部位に電極が配置されている請求項１乃至請求項４のいずれか１項に記載のかしめ構造。
【発明の詳細な説明】
【技術分野】
【０００１】
本発明は、表示パネル等を収容する容器にかしめ爪によって被固定部材を固定する表示装置のかしめ構造に関するものである。
【背景技術】
【０００２】
従来の表示装置の一種である液晶表示装置（Liquid  Crystal  Display：ＬＣＤ）の１例を図４〜図８に示す。図４は従来のＬＣＤの側断面図であり、図５は図４のＬＣＤの下面図である。また、図６（ａ）は図５のＡ部の拡大斜視図、図６（ｂ）は図６（ａ）に示すかしめ爪及びその周辺の部位の拡大側断面図である。図７は他の従来例を示すものであり、図７（ａ）は図５のＡ部に相当する部位の拡大斜視図、図７（ｂ）は図７（ａ）に示すかしめ爪及びその周辺の部位の拡大側断面図である。図８は従来のＬＣＤのブロック回路図である。図４に示すように、ＬＣＤにおける液晶表示パネル２１は、例えば、薄膜トランジスタ（Thin  Film  Transistor  ：ＴＦＴ）を含む画素部が多数形成されたガラス基板等から成るアレイ側基板２２と、カラーフィルタ及びブラックマトリクスが形成されたガラス基板等から成るカラーフィルタ側基板２３とを互いに対向させて、それらの基板を所定の間隔でもって貼り合わせ、それらの基板間に液晶を充填、封入させることによって作製される。また、一般的に、カラーフィルタ側基板２３は、ＴＦＴ及び画素電極から成る画素部に対向する側の面、すなわち液晶側の面の全面に、画素電極との間で液晶に印加する垂直電界を形成するための共通電極が形成されている。この共通電極は、ＩＰＳ（In-Plane  Switching）方式のＬＣＤの場合、アレイ側基板２２の画素部に画素電極と同じ面内に形成されることによって横電界を生じさせるものとなる。また共通電極は、ＦＦＳ（Fringe  Field  Switching）方式のＬＣＤの場合、アレイ側基板２２の画素部に画素電極の上方または下方に絶縁層を介して形成されることによって端部電界（Fringe  Field）を生じさせるものとなる。
【０００３】
また、カラーフィルタ側基板２３の液晶側の面には、各画素部に対応する赤（Ｒ）、緑（Ｇ）、青（Ｂ）のカラーフィルタが形成されており、各画素部を通過する光が相互に干渉することを防ぐブラックマトリクスがカラーフィルタの外周を囲むように形成されている。また、カラーフィルタ層を覆ってオーバーコート層が形成されており、オーバーコート層上に共通電極が形成されている。また、アレイ側基板２２の液晶側の面の縁部全周と、カラーフィルタ側基板２３の液晶側の面の縁部全周とが、シリコーン樹脂、エポキシ樹脂、合成ゴム等から成る封止部材によって接着、封止されている。さらに、アレイ側基板２２の液晶側の面におけるカラーフィルタ側基板２３から外側に突出した部位には、ＩＣ，ＬＳＩ等から成る、ゲート信号線駆動回路、画像信号線駆動回路としての駆動回路素子２６がＣＯＧ（Chip  On  Glass）方式等の実装方法により搭載されている。また、液晶表示パネル２１のバックライト装置３０側の面には第１の偏光板２４が配置され、表示側の面には第２の偏光板２５が配置されている。
【０００４】
液晶表示パネル２１のアレイ側基板２２側には、ＬＥＤ（Light  Emitting  Diode）等の発光素子を有するバックライト装置３０が、樹脂製の枠体４２の開口及び平板状部42aを間に配して設置されている。枠体４２の平板状部42aは、枠体４２の内側側面から液晶表示パネル２１とバックライト装置３０との間の隙間に延出するように形成されている平板状の鍔部である。枠体４２の平板状部42aは、アレイ側基板２２のバックライト装置３０側の面の周縁部を支持する機能を有する。また枠体４２の平板状部42aは、アレイ側基板２２とバックライト装置３０との間に間隔をあけるためのスペーサでもある。
【０００５】
また、液晶表示パネル２１のカラーフィルタ側基板２３の上面（液晶側の面と反対側の面）の端部に、中央部に開口を有する平板部51aが平面視で重なる、Ａｌ等の金属から成るフロントベゼル５１がある。フロントベゼル５１は、上側の枠体であり、フェースボードとも呼ばれる。液晶表示パネル２１とバックライト装置３０は、アルミニウム（Ａｌ），亜鉛（Ｚｎ）メッキ鋼材等の金属、合金から成る下側の枠体（バックベゼル）５０に保護されており、フロントベゼル５１の側部と下側の枠体５０の側部とがネジ止め、係合等の手段によって固定されている。
【０００６】
また、バックライト装置３０は、その側面にＬＥＤ等の発光素子３４が配置されており、発光素子３４はフレキシブル回路基板（Flexible  Printed  Circuits：ＦＰＣ）等から成る実装基板３５に取り付けられて実装されている。また、バックライト装置３０は、導光板３１を有しており、導光板３１の液晶表示パネル２１側の面には、レンズ状突起あるいはビーズ状突起を多数有するレンズ（ビーズ）拡散シート、及び反射型偏光性フィルム（Dual  Brightness  Enhancement  Film）等から成る光再利用シートとしての光学シート３３が載置され固定されている。導光板３１の液晶表示パネル２１側の面と反対側の面には、反射シート３２が配置されている。また、導光板３１の光学シート３３側の面の縁部は、光学シート３３が配置されておらず、代わりに光を有効利用するための反射板４３が配置されている。そして、バックライト装置３０は、金属製の容器３６の内部に収容されている。図４においては、容器３６はバックライト装置３０を収容しているが、液晶表示パネル２１及びバックライト装置３０を収容する構成である場合もある。
【０００７】
容器３６のバックライト装置３０側の面と反対側の面（底部の外側表面）には、バックライト装置３０を駆動制御するための電子素子40aが実装されているとともに回路配線が形成されている回路基板４０が配置されている。さらに、容器３６の底部の外側表面側から枠体４２の外側側面を経由して駆動回路素子２６にかけて、駆動回路素子２６を駆動制御するための、ＦＰＣ等から成る可撓性回路基板４１が配置されている。
【０００８】
図５、図６に示すように、回路基板４０は、その縁部がかしめ爪５３によって押圧されて、容器３６の外側表面に固定されている。かしめ爪５３は、容器３６の外側表面から突出している本体部53aと、本体部53aから側方に延出している延出部53bと、延出部53bから容器３６の外側表面側に延出している押圧部53cと、を有する構成であり、以下のようにして作製される。まず、容器３６の一部に打抜き加工を施すことによって、かしめ爪５３となる鉤状部と、その鉤状部を囲む開口５４と、を形成する。次に、かしめ爪５３の本体部53aを、容器３６の外側表面から起立するように折り曲げる。次に、かしめ爪５３の押圧部53cを、回路基板４０の縁部と反対側、すなわち延出部53bの折り曲げ方向ｄｍと反対側に折り曲げるとともに、容器３６の外側表面側に傾斜するように構成する。最後に、延出部53bを容器３６の外側表面に沿って、折り曲げ方向ｄｍに、すなわち回路基板４０の縁部の側に折り曲げて、押圧部53cが回路基板４０の縁部に当接しつつ乗り上げるようにする。これにより、かしめ爪５３の押圧部53cによって、回路基板４０の縁部が容器３６の外側表面に押し付けられて固定される。
【０００９】
また図７に示すように、回路基板４０の縁部に接地用の電極40bが配置されており、容器３６及びかしめ爪５３が導体から成り、かしめ爪５３の押圧部53cを電極40bに押し付けることによって、接地をとる接続構造とする場合もあった。
【００１０】
また、他の従来例として、フックによってシールドカバーを枠体の背面側に係止する構成も提案されている（例えば、特許文献１を参照）。
【００１１】
また、図８は、従来のアクティブマトリクス型及びＩＰＳ型のＬＣＤの基本構成を示すブロック回路図である。例えば、ＬＣＤのアレイ側基板７７は、その上の第１の方向（例えば、行方向）に形成された複数本のゲート信号線７５（GL1，GL2，GL3〜GLm）と、第１の方向と交差する第２の方向（例えば、列方向）にゲート信号線７５と交差させて形成された複数本の画像信号線７６（SL1，SL2，SL3〜SLn）と、ゲート信号線７５と画像信号線７６の交差部に対応して配置されたＴＦＴ７１と、ＴＦＴ７１に接続された画素電極（PE11,PE12,PE13〜PEmn）と、その画素電極（PE11,PE12,PE13〜PEmn）との間で液晶に印加する横電界等の電界を形成するための共通電極と、ＴＦＴ７１、画素電極（PE11,PE12,PE13〜PEmn）及び共通電極を含む画素部（P11，P12，P13〜Pmn）と、共通電極に共通電圧（Vcom）を供給する共通電圧線７２と、を有する構成である。図８において、７３はゲート信号線駆動回路、７４は画像信号（ソース信号）線駆動回路、７８は表示部である。
【先行技術文献】
【特許文献】
【００１２】
【特許文献１】特開２００５−２８６００６号公報
【発明の概要】
【発明が解決しようとする課題】
【００１３】
従来、かしめ爪による被固定部材の固定は、一般にかしめ爪が靱性を有する金属、合金から成るために、被固定部材を容易に繰り返し取り外すことができる点で、特許文献１に記載されたフックによる固定よりも簡便である。しかしながら、図４〜図７に示す上記従来のＬＣＤにおいては、以下の問題点があった。すなわち、かしめ爪５３の延出部53bを折り曲げ方向ｄｍに折り曲げる際に、押圧部53cの押圧側の面（回路基板４０の縁部に対向する面）の稜線部である端縁部53ckが回路基板４０の縁部に当接しながら縁部上に乗り上げるようにして折り曲げられる。押圧部53cの押圧側の面の端縁部53ckは、断面形状が角部となっているために、回路基板４０の縁部が削れて微細な粒子が飛散する。その粒子が液晶表示パネル２１の表示品質を劣化させる原因となるという問題点があった。また、図７に示すように、回路基板４０の縁部に接地用の電極40bが配置されている場合、電極40bは銅（Ｃｕ）等の比較的軟性の金属から成るために、上記と同様の理由で電極40bが削れて微細な導電性粒子が飛散し、その導電性粒子が回路基板４０に形成されている配線等に付着して電気的短絡（ショート）等を発生させ、電気的特性を劣化させる原因となるという問題点があった。
【００１４】
従って、本発明は、上記の問題点に鑑みて完成されたものであり、その目的は、回路基板等を固定するためのかしめ爪に起因する異物となる微細な粒子の発生を抑えて、表示装置の表示品質を劣化させることを抑えること、またかしめ爪に起因する異物となる微細な導電性粒子の発生を抑えて、表示装置の電気的特性を劣化させることを抑えることである。
【課題を解決するための手段】
【００１５】
本発明の表示装置のかしめ構造は、表示装置の部品を収容する容器と、前記容器に固定される被固定部材と、前記被固定部材の縁部を前記容器にあるかしめ爪で押圧することによって、前記容器に前記被固定部材を固定する表示装置のかしめ構造であって、前記かしめ爪は、前記容器から突出している本体部と、前記本体部から側方に延出している延出部と、前記延出部から前記容器の側に延出している押圧部と、を有するとともに、前記延出部が前記容器の面に沿って折り曲げられるように構成されており、前記押圧部は、前記被固定部材の縁部に接する部位が、前記被固定部材の縁部の側に凸の曲面状とされている構成である。
【００１６】
本発明の表示装置のかしめ構造は、好ましくは、前記かしめ爪は、前記部位が突起部である。
【００１７】
また本発明の表示装置のかしめ構造は、好ましくは、前記かしめ爪は、前記部位が前記押圧部の曲げ部である。
【００１８】
また本発明の表示装置のかしめ構造は、好ましくは、前記かしめ爪は、前記押圧部が前記延出部の折り曲げ方向と反対側に伸びているとともに、前記容器の側に傾斜している。
【００１９】
また本発明の表示装置のかしめ構造は、好ましくは、前記被固定部材は、前記縁部の前記かしめ爪で押圧される部位に電極が配置されている。
【発明の効果】
【００２０】
本発明の表示装置のかしめ構造は、表示装置の部品を収容する容器と、容器に固定される被固定部材と、被固定部材の縁部を容器にあるかしめ爪で押圧することによって、容器に被固定部材を固定する表示装置のかしめ構造であって、かしめ爪は、容器から突出している本体部と、本体部から側方に延出している延出部と、延出部から容器の側に延出している押圧部と、を有するとともに、延出部が容器の面に沿って折り曲げられるように構成されており、押圧部は、被固定部材の縁部に接する部位が、被固定部材の縁部の側に凸の曲面状とされている構成であることから、以下の効果を奏する。すなわち、かしめ爪の押圧部の被固定部材の縁部に接する部位が、被固定部材の縁部の側に凸の曲面状とされているので、かしめ爪の延出部を折り曲げ方向に折り曲げる際の、押圧部と被固定部材の縁部との間の摩擦をきわめて小さくすることができる。その結果、被固定部材の縁部が削れて異物となる微細な粒子が飛散することを抑えることができる。その結果、表示装置の表示品質を劣化させることを抑えることができる。
【００２１】
本発明の表示装置のかしめ構造は、かしめ爪は、曲面状とされた部位が突起部である場合、押圧部の押圧側の面の端縁部が被固定部材の縁部に接しないようにすることが容易になる。すなわち、押圧部の押圧側の面の端縁部よりも突起部の方が、被固定部材の縁部の側に存在するように構成することができる。これにより、被固定部材の縁部が削れて異物となる微細な粒子が飛散することを抑えることを容易に達成できる。
【００２２】
また本発明の表示装置のかしめ構造は、かしめ爪は、曲面状とされた部位が押圧部の曲げ部である場合、押圧部の押圧側の面の端縁部が被固定部材の縁部に接しないようにすることが容易になる。すなわち、押圧部の押圧側の面の端縁部よりも曲げ部の方が、被固定部材の縁部の側に存在するように構成することができる。これにより、被固定部材の縁部が削れて異物となる微細な粒子が飛散することを抑えることを容易に達成できる。
【００２３】
また本発明の表示装置のかしめ構造は、かしめ爪は、押圧部が延出部の折り曲げ方向と反対側に伸びているとともに、容器の側に傾斜している場合、かしめ爪の押圧部とそれが当接する被固定部材の縁部との間に生じる摩擦力を小さくすることができる。その結果、被固定部材の縁部が削れて微細な粒子が飛散することをより抑えることができる。
【００２４】
また本発明の表示装置のかしめ構造は、被固定部材は、上記縁部のかしめ爪で押圧される部位に電極が配置されている場合、電極が削れて異物となる微細な導電性粒子が飛散することを抑えることができる。その結果、表示装置の電気的特性を劣化させることを抑えることができる。
【図面の簡単な説明】
【００２５】
【図１】図１（ａ），（ｂ）は、本発明の表示装置のかしめ構造について実施の形態の１例を示す図であり、（ａ）はかしめ部を拡大して示す拡大斜視図、（ｂ）はかしめ爪及びその周辺の部位の側断面図である。
【図２】図２（ａ），（ｂ）は、本発明の表示装置のかしめ構造について実施の形態の他例を示す図であり、（ａ）はかしめ部を拡大して示す拡大斜視図、（ｂ）はかしめ爪及びその周辺の部位の側断面図である。
【図３】図３（ａ），（ｂ）は、本発明の表示装置のかしめ構造について実施の形態の他例を示す図であり、（ａ），（ｂ）はそれぞれかしめ爪及びその周辺の部位の側断面図である。
【図４】図４は、従来のかしめ構造を有する液晶表示装置の１例の断面図である。
【図５】図５は、図４の液晶表示装置の下面図である。
【図６】図６（ａ）は、図５のＡ部を拡大して示す拡大斜視図、（ｂ）は、かしめ爪及びその周辺の部位の側断面図である。
【図７】図７（ａ），（ｂ）は他の従来例を示すものであり、（ａ）は、図５のＡ部に相当する部位を拡大して示す拡大斜視図、（ｂ）は、かしめ爪及びその周辺の部位の側断面図である。
【図８】図８は、従来の液晶表示装置の１例のブロック回路図である。
【発明を実施するための形態】
【００２６】
以下、本発明の表示装置のかしめ構造の実施の形態について、図面を参照しながら説明する。図１〜図３は、本発明の表示装置のかしめ構造について、実施の形態の各種例を示すものであり、図１（ａ）はかしめ部を拡大して示す拡大斜視図、（ｂ）はかしめ爪及びその周辺の部位の側断面図である。図２（ａ）はかしめ部を拡大して示す拡大斜視図、（ｂ）はかしめ爪及びその周辺の部位の側断面図である。図３（ａ），（ｂ）はそれぞれかしめ爪及びその周辺の部位の側断面図である。これらの図に示すように、本発明の表示装置のかしめ構造は、例えばＬＣＤの部品を収容する容器３６と、容器３６の例えば外側底面に固定される被固定部材としての回路基板１と、回路基板１の縁部を容器３６の例えば外側底面にあるかしめ爪２で押圧することによって、容器３６の外側底面に回路基板１を固定するものである。そして、かしめ爪２は、容器３６の外側底面から突出している本体部２ａと、本体部２ａから側方に延出している延出部２ｂと、延出部２ｂから容器３６の外側底面側に延出している押圧部２ｃと、を有するとともに、延出部２ｂが容器３６の外側底面に沿って折り曲げられるように構成されており、押圧部２ｃは、被固定部材の縁部に接する部位が、被固定部材の縁部の側に凸の曲面状とされている構成である。
【００２７】
上記の構成により、以下の効果を奏する。すなわち、かしめ爪２の押圧部２ｃの被固定部材の縁部に接する部位が、被固定部材の縁部の側に凸の曲面状とされているので、かしめ爪２の延出部２ｂを折り曲げ方向に折り曲げる際の、押圧部２ｃと被固定部材の縁部との間の摩擦をきわめて小さくすることができる。その結果、被固定部材の縁部が削れて異物となる微細な粒子が飛散することを抑えることができる。その結果、表示装置の表示品質を劣化させることを抑えることができる。
【００２８】
本発明のかしめ構造に係る表示装置としては、ＬＣＤ（Liquid  Crystal  Display）、有機ＥＬ（Electro  Luminescence）表示装置、無機ＥＬ表示装置、プラズマディスプレイ、ＦＥＤ（Field  Emitting  Display）、ＳＥＤ（Surface-conduction  Electron-emitter  Display）、ＧＬＶ（Grating  Light  Valve）表示装置、ＰＤＰ（Plasma  Display）、電子ペーパーディスプレイ、ＤＭＤ（Digital  micro  Mirror  Device）表示装置、圧電セラミックディスプレイ、ＬＥＤディスプレイなどの表示装置を用いることができる。
【００２９】
容器３６に収容される表示装置の部品としては、液晶表示パネル、バックライト装置、ＥＬ表示パネル等がある。なお、以下の実施の形態においては、ＬＣＤの例について説明する。また、本発明のかしめ構造に係るＬＣＤは、全体の基本構成は図４に示す従来のＬＣＤと同様であるので、全体の構成についての詳細な説明は省略する。また容器３６は、例えば筐体等の箱状のものであるが、板状のものであってもよく、板状のものと枠体とを組み合わせたものであってもよい。また、容器３６は、放熱性が良好なことから、アルミニウム（Ａｌ），亜鉛（Ｚｎ）メッキ鋼材等の金属、ステンレススチール等の合金などから成ることがよい。また、被固定部材が固定される容器３６の部位は、容器３６の外側表面、内側表面等であり、より具体的には容器３６の外側底面、内側底面、外側側面、内側側面等の種々の部位であってよい。以下の実施の形態においては、容器３６の外側表面である外側底面に被固定部材としての回路基板１を固定する場合の例について説明する。
【００３０】
被固定部材は、例えば、図１〜図３に示す回路基板１であるが、これに限らず、放熱板、シールド板等の板状のもの、あるいは回路基板等を内側空間に収めるための凹部を有するシールドカバー等のカバー部材であってもよい。被固定部材としての回路基板１は、その縁部がかしめ爪２によって押圧されて、容器３６の外側底面に固定されている。
【００３１】
かしめ爪２は、容器３６の外側底面から突出している本体部２ａと、本体部２ａから側方に延出している延出部２ｂと、延出部２ｂから容器３６の外側底面側に延出している押圧部２ｃと、を有する構成であり、以下のようにして作製される。まず、容器３６の一部に打抜き加工を施すことによって、かしめ爪２となる鉤状部と、その鉤状部を囲む開口３と、を形成する。次に、かしめ爪２の本体部２ａを、容器３６の外側底面から起立するように折り曲げる。次に、かしめ爪２の押圧部２ｃを、回路基板１の縁部と反対側、すなわち延出部２ｂの折り曲げ方向ｄｍと反対側に折り曲げるとともに、容器３６の外側底面側に傾斜するように構成する。最後に、延出部２ｂを容器３６の外側底面に沿って、折り曲げ方向ｄｍに、すなわち回路基板１の縁部の側に折り曲げて、押圧部２ｃが回路基板１の縁部に当接しつつ乗り上げるようにする。これにより、かしめ爪２の押圧部２ｃによって、回路基板１の縁部が容器３６の外側底面に押し付けられて固定される。
【００３２】
本発明のかしめ構造において、図１に示すように、かしめ爪２は、曲面状とされた部位が突起部2ctであることが好ましい。この場合、押圧部２ｃの押圧側の面の端縁部2ckが回路基板１の縁部に接しないようにすることが容易になる。すなわち、押圧部２ｃの押圧側の面の端縁部2ckよりも突起部2ctの方が、回路基板１の縁部の側に存在するように構成することができる。これにより、回路基板１の縁部が削れて異物となる微細な粒子が飛散することを抑えることを容易に達成できる。突起部2ctの形状は、部分球面、部分楕円体面、部分円柱面、部分楕円柱面等の形状である。また、かしめ爪２は、曲面状とされた部位が、その残部よりも厚みが厚くかつ膨らんでいる膨大部であってもよい。
【００３３】
また図３に示すように、かしめ爪２は、曲面状とされた部位が押圧部２ｃの曲げ部2crであることが好ましい。この場合、押圧部２ｃの押圧側の面の端縁部2ckが回路基板１の縁部に接しないようにすることが容易になる。すなわち、押圧部２ｃの押圧側の面の端縁部2ckよりも曲げ部2crの方が、回路基板１の縁部の側に存在するように構成することができる。これにより、回路基板１の縁部が削れて異物となる微細な粒子が飛散することを抑えることを容易に達成できる。押圧部２ｃの曲げ部2crは、端縁部2ckよりも容器３６側に近い位置にあればよい。これにより、かしめ爪２をかしめる際に、押圧部２ｃの押圧側の面の端縁部2ckが回路基板１の縁部に接することがなくなる。
【００３４】
また本発明のかしめ構造は、図１〜図３に示すように、かしめ爪２は、押圧部２ｃが延出部２ｂの折り曲げ方向ｄｍと反対側に伸びているとともに、容器３６の外側底面側に傾斜していることが好ましい。この場合、かしめ爪２の押圧部２ｃとそれが当接する回路基板１の縁部との間に生じる摩擦力を小さくすることができる。その結果、回路基板１の縁部が削れて微細な粒子が飛散することをより抑えることができる。この構成の場合、押圧部２ｃの延出部２ｂを折り曲げ方向ｄｍに折り曲げたときに、押圧部２ｃの曲面状の部位が回路基板１の縁部に当接しつつ折り曲げられるが、押圧部２ｃが僅かに弾性的に変形するので、押圧部２ｃとそれが当接する回路基板１の縁部との間に生じる摩擦力が小さくなるのである。押圧部２ｃの容器３６の外側底面に対する傾斜角度θは、５度乃至４０度程度がよい。５度未満では、押圧部２ｃの押圧力が小さくなる傾向がある。４０度を超えると、押圧部２ｃとそれが当接する回路基板１の縁部との間に生じる摩擦力が大きくなって、微細な粒子が飛散しやすくなる傾向がある。より好ましくは、傾斜角度θは１０度乃至３０度程度がよい。
【００３５】
また本発明の表示装置のかしめ構造は、回路基板１は、図２（ｂ）、図３（ｂ）に示すように、回路基板１の縁部のかしめ爪２で押圧される部位に電極１ａが配置されていてもよい。この場合、電極１ａが削れて異物となる微細な導電性粒子が飛散することを抑えることができる。その結果、表示装置の電気的特性を劣化させることを抑えることができる。この場合、例えば、電極１ａが接地用のものであり、容器３６及びかしめ爪２が、アルミニウム（Ａｌ），亜鉛（Ｚｎ）メッキ鋼材等の金属、ステンレススチール等の合金などの導体から成り、かしめ爪２の押圧部２ｃを電極１ａに押し付けることによって接地をとる接地構造とすることができる。そうすると、かしめ爪２は、回路基板１を固定する機能と接地をとる機能の両方を有するものとなる。これにより、堅固な接地構造を構成することができる。
【００３６】
また、電極１ａが信号配線につながるものであり、容器３６及びかしめ爪２が絶縁体から成り、かしめ爪２の押圧部２ｃの曲面状の部位に他の信号配線につながる電極が配置されている場合、信号配線の接続構造を構成することもできる。また、電極１ａがフローティング電極であり、容器３６及びかしめ爪２が絶縁体から成る場合、フローティング構造を構成することもできる。
【００３７】
なお、本発明の表示装置のかしめ構造は、上記実施の形態に限定されるものではなく、適宜の設計的な変更、改良が施されていてもよい。
【産業上の利用可能性】
【００３８】
本発明のかしめ構造を有する表示装置は各種の電子機器に適用できる。その電子機器としては、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機、医療用モニター装置、デジタル表示式腕時計などがある。
【符号の説明】
【００３９】
１  回路基板
１ａ  電極
２  かしめ爪
２ａ  本体部
２ｂ  延出部
２ｃ  押圧部
２ｃｔ  突起部
２ｃｒ  曲げ部
３６  容器
【図１】
2017156417.tif 000003
【図２】
2017156417.tif 000004
【図３】
2017156417.tif 000005
【図４】
2017156417.tif 000006
【図５】
2017156417.tif 000007
【図６】
2017156417.tif 000008
【図７】
2017156417.tif 000009
【図８】
2017156417.tif 000010